(57)【要約】    【課題】  取付誤差に影響されることなく検知スイッチの安定した作動を確保することができ、また複数のドアの開閉状況を１つの検知スイッチで検知する場合に、検知スイッチの作動機構の機械的構造を簡素化することができようにする。    【解決手段】  上下方向のスイッチング動作により検知スイッチ１１をオンオフ作動させるスイッチング部材１２と、ドアの開閉動作に応じてスイッチング部材にスイッチング動作を行わせるためにドアに設けられた係合突起１３・１４とを有し、スイッチング部材が、検知スイッチを作動させる作動位置を挟んだ縦方向及び横方向に遊動可能に中心軸２２に支持され、係合突起が、ドアの開閉動作に応じて、作動位置より上方にスイッチング部材を上昇保持させる押上位置と、作動位置より下方にスイッチング部材を降下させる後退位置との間で進退動作する押圧部２４・２６を備えたものとする。【選択図】    図２
2006113346.tif 000002
【特許請求の範囲】
【請求項１】
開閉体の開閉状態を検知スイッチにより検知する開閉検知機構であって、
上下方向のスイッチング動作により前記検知スイッチをオンオフ作動させるスイッチング部材と、前記開閉体の開閉動作に応じて前記スイッチング部材にスイッチング動作を行わせるために前記開閉体に設けられた係合突起とを有し、
前記スイッチング部材が、前記検知スイッチをオンオフ作動させる作動位置を挟んだ縦方向及び横方向に遊動可能に支持手段に支持され、前記係合突起が、前記開閉体の開閉動作に応じて、前記作動位置より上方に前記スイッチング部材を上昇保持させる押上位置と、前記作動位置より下方に前記スイッチング部材を降下させる後退位置との間で進退動作する押圧部を備えたことを特徴とする開閉検知機構。
【請求項２】
複数の開閉体が全て閉じられた状態を１つの検知スイッチにより検知する開閉検知機構であって、
上下方向のスイッチング動作により前記検知スイッチをオンオフ作動させるスイッチング部材と、このスイッチング部材にスイッチング動作を行わせるために複数の前記開閉体にそれぞれ設けられた複数の係合突起とを有し、
前記スイッチング部材が、前記検知スイッチをオンオフ作動させる作動位置を挟んだ縦方向及び横方向に遊動可能に支持手段に支持され、前記係合突起が、前記開閉体の開閉動作に応じて、前記作動位置より上方に前記スイッチング部材を上昇保持させる押上位置と、前記作動位置より下方に前記スイッチング部材を降下させる後退位置との間で進退動作する押圧部を備え、
前記開閉体が全て閉じられて複数の前記係合突起の押圧部が全て押上位置にある場合にのみ、前記スイッチング部材が作動位置に上昇保持されるようにしたことを特徴とする開閉検知機構。
【請求項３】
前記スイッチング部材が、前記係合突起の押圧部が当接する外周面を、略円形の断面形状をなす外形輪郭に形成されたことを特徴とする請求項１若しくは請求項２に記載の開閉検知機構。
【請求項４】
前記スイッチング部材が、前記検知スイッチの検知部に当接する頂部と、前記係合突起の押圧部が当接する角部と、この角部から前記押圧部の進退方向に沿う向きに延在する底辺部とを備え、全体として略三角形の断面形状をなす外形輪郭に形成されたことを特徴とする請求項１若しくは請求項２に記載の開閉検知機構。
【請求項５】
前記係合突起の押圧部が、その横方向の進退に応じて前記スイッチング部材を昇降させる傾斜面を備えたことを特徴とする請求項１若しくは請求項２に記載の開閉検知機構。
【請求項６】
前記支持手段が、前記スイッチング部材の中心部に形成された空所内に遊挿された略水平方向の中心軸であり、この中心軸の軸線に直交する向きに遊動可能に前記スイッチング部材を支持することを特徴とする請求項１若しくは請求項２に記載の開閉検知機構。
【請求項７】
開閉体の開閉状態を検知スイッチにより検知する開閉検知機構であって、
所要のスイッチング動作により前記検知スイッチをオンオフ作動させるスイッチング部材と、前記開閉体の開閉動作に応じて前記スイッチング部材にスイッチング動作を行わせるために前記開閉体に設けられた係合突起とを有し、
前記スイッチング部材に、開動作時に前記係合突起の押圧部が当接可能な第１の当接部と、閉動作時に前記係合突起の押圧部が当接可能な第２の当接部とが互いにずらして形成され、その２つの当接部の間に、前記係合突起の押圧部の進退動作に対する前記スイッチング部材のスイッチング動作のタイミングを開動作時と閉動作時とでずらす段差が設けられたことを特徴とする開閉検知機構。
【請求項８】
前記押圧部と前記第１の当接部とが整合する第１の軸方向位置から、前記押圧部と前記第２の当接部とが整合する第２の軸方向位置に向けて変位するように、前記スイッチング部材を付勢するばね手段と、
閉動作時に前記開閉体に加えられる操作力に基づく押圧力により、前記ばね手段による付勢力に抗して、前記第２の軸方向位置から前記第１の軸方向位置に向けて変位するように、前記スイッチング部材を誘導する誘導手段とを有することを特徴とする請求項７に記載の開閉検知機構。
【請求項９】
前記スイッチング部材が、前記係合突起の押圧部が当接する外周面を、略円形の断面形状をなす外形輪郭に形成され、
前記第１の当接部となる外周面と、前記第２の当接部となる外周面とが、互いに中心線方向にずらして略同心状に形成されたことを特徴とする請求項７に記載の開閉検知機構。
【請求項１０】
前記スイッチング部材が、前記検知スイッチの検知部に当接する頂部と、前記係合突起の押圧部が当接する角部と、この角部から前記押圧部の進退方向に沿う向きに延在する底辺部とを備え、全体として略三角形の断面形状をなす外形輪郭に形成され、
前記押圧部が当接する角部に、切り欠きによって前記第１及び第２の各当接部が中心線方向にずらして形成されたことを特徴とする請求項７に記載の開閉検知機構。
【請求項１１】
請求項１乃至請求項１０のいずれかに記載の開閉検知機構を備えたことを特徴とする画像形成装置。
【請求項１２】
請求項１乃至請求項１０のいずれかに記載の開閉検知機構を備えたことを特徴とする用紙処理装置。
【発明の詳細な説明】
【技術分野】
【０００１】
本発明は、開閉体の開閉状態を検知スイッチにより検知する開閉検知機構、並びにこれを備えた画像形成装置及び用紙処理装置に関するものである。
【背景技術】
【０００２】
画像形成装置（プリンタ、ファクシミリ装置、複写機、複合機など）においては、紙づまり処理やトナー交換などのメンテナンス作業を行うために、本体の前面や側面に開閉可能なドアが設けられている。また、ソータやステープラなどの排紙処理を行うために、オプションとして画像形成装置に併設されるフィニッシャや給紙ユニットのような用紙処理装置においても、同様に、紙づまり処理などを行うために、開閉可能なドアが設けられている。
【０００３】
このような画像形成装置及び用紙処理装置においては、本体内の高電圧や高温から作業者を保護すると共に、記録紙の搬送などの装置の正常な動作を確保するため、全てのドアが閉じられた状態でのみ動作するように設定されており、ドアの開閉状態を検知するために、ドアの開閉動作に応じて機械的に検知スイッチを作動させる開閉検知機構が設けられている。
【０００４】
この種の開閉検知機構としては、従来、ドアに設けた突起で本体側に設けた検知スイッチを押圧して作動させる構成のものが知られている（例えば、特許文献１・２参照）。また、ドアごとに検知スイッチを設けることはコストが嵩むことから、複数のドアの開閉状況を１つの検知スイッチで検知するように構成したものが知られている（例えば、特許文献３・４参照）。
【特許文献１】特開平１０−４８９０５号公報
【特許文献２】特開平１０−２０７３０６号公報
【特許文献３】特開平１０−２６８６０３号公報
【特許文献４】特開２００２−１８７３２４号公報
【発明の開示】
【発明が解決しようとする課題】
【０００５】
しかるに、前記突起で検知スイッチを作動させる従来の構成では、本体に対するドアの取付誤差が原因で検知スイッチが安定して作動しない不具合を解消するために、検知スイッチに対する突起の位置関係を調整可能とする工夫がなされているが、この場合、取付誤差を修正するための調整部品によるコストの増大を招く上に調整作業が必要になる不便があり、簡単な構造で取付誤差に影響されることなく検知スイッチの安定した作動を確保することができる構成が望まれる。
【０００６】
他方、前記複数のドアの開閉状況を１つの検知スイッチで検知する従来の構成では、複数のドアの開閉動作に連動して検知スイッチを作動させる機構が、多数の部品を用いた複雑な機械的構造となるため、コストが嵩む上に、大きな配置スペースを必要とすることから設計自由度が低下する難点があり、検知スイッチの作動機構の機械的構造を簡素化することができる構成が望まれる。
【０００７】
また、前記開閉検知機構でドアの閉状態が検知されると、検知スイッチから出力される検知信号に応じて、制御部において動力系及び電気系の各部品への給電を再開する立ち上げ処理が行われ、この立ち上げ処理には長時間を要することから、待ち時間を短縮して利便性を高める観点から、開閉検知機構ではドアの閉動作をできるだけ早く検知する構成とすると良いが、従来の構成では、検知スイッチをオンオフ作動させるタイミングが同じであるため、閉動作時の作動タイミングを早めるのに応じて開動作時の作動タイミングが遅くなり、高電圧や高温に対する安全性を低下させる不都合が生じ、この二律背反の要望を満足するため、閉動作時と開動作時とで検知スイッチの作動タイミングをずらすことができる構成が望まれる。
【０００８】
本発明は、このような発明者の知見に基づいて案出されたものであり、その主な目的は、簡単な構造で取付誤差に影響されることなく検知スイッチの安定した作動を確保することができ、また複数のドアの開閉状況を１つの検知スイッチで検知する場合に、検知スイッチの作動機構の機械的構造を簡素化することができ、また開動作の検知を遅らせることなく閉動作を早期に検知することを可能にするために、開動作時と閉動作時とで検知スイッチの作動タイミングをずらして設定することができるように構成された開閉検知機構並びにこれを備えた画像形成装置及び用紙処理装置を提供することにある。
【課題を解決するための手段】
【０００９】
このような課題を解決するために、本発明においては、請求項１に示すとおり、開閉体の開閉状態を検知スイッチにより検知する開閉検知機構において、上下方向のスイッチング動作により前記検知スイッチをオンオフ作動させるスイッチング部材と、前記開閉体の開閉動作に応じて前記スイッチング部材にスイッチング動作を行わせるために前記開閉体に設けられた係合突起とを有し、前記スイッチング部材が、前記検知スイッチをオンオフ作動させる作動位置を挟んだ縦方向及び横方向に遊動可能に支持手段に支持され、前記係合突起が、前記開閉体の開閉動作に応じて、前記作動位置より上方に前記スイッチング部材を上昇保持させる押上位置と、前記作動位置より下方に前記スイッチング部材を降下させる後退位置との間で進退動作する押圧部を備えたものとした。
【００１０】
これによると、スイッチング部材が縦横に遊動可能なため、本体に対する開閉体の取付誤差などに起因する押圧部のずれが、スイッチング部材のスイッチング動作に大きな影響を与えないものとすることができる。特にスイッチング部材の動作量に対する押圧部の移動量が大きくなるように設定することで、検知スイッチの作動タイミングを、開閉体が停止する全閉位置に対して余裕をもって設定することができ、これにより簡単な構造で取付誤差に影響されることなく検知スイッチの安定した作動を確保することができる。
【００１１】
また本発明においては、請求項２に示すとおり、複数の開閉体が全て閉じられた状態を１つの検知スイッチにより検知する開閉検知機構において、上下方向のスイッチング動作により前記検知スイッチをオンオフ作動させるスイッチング部材と、このスイッチング部材にスイッチング動作を行わせるために複数の前記開閉体にそれぞれ設けられた複数の係合突起とを有し、前記スイッチング部材が、前記検知スイッチをオンオフ作動させる作動位置を挟んだ縦方向及び横方向に遊動可能に支持手段に支持され、前記係合突起が、前記開閉体の開閉動作に応じて、前記作動位置より上方に前記スイッチング部材を上昇保持させる押上位置と、前記作動位置より下方に前記スイッチング部材を降下させる後退位置との間で進退動作する押圧部を備え、前記開閉体が全て閉じられて複数の前記係合突起の押圧部が全て押上位置にある場合にのみ、前記スイッチング部材が作動位置に上昇保持されるようにしたものとした。
【００１２】
これによると、スイッチング部材が縦横に遊動可能なため、本体に対する開閉体の取付誤差などに起因する押圧部のずれが、スイッチング部材のスイッチング動作に大きな影響を与えないものとすることができる。そして、複数のドアの開閉状況を１つの検知スイッチで検知するために、縦横に遊動可能な１つのスイッチング部材を作動位置に押し上げる係合突起を開閉体ごとに設ければ良く、検知スイッチの作動機構の機械的構造を簡素化することができる。
【００１３】
この場合、係合突起の押圧部が後退位置にある場合にスイッチング部材が自重により降下する構成とすれば、初期位置に復帰させるためのばね手段が不要となり、構造を簡素化することができる。
【００１４】
さらに請求項３に示すとおり、前記スイッチング部材が、前記係合突起の押圧部が当接する外周面を、略円形の断面形状をなす外形輪郭に形成された構成とすることができる。これによると、係合突起の押圧部の進退動作に応じたスイッチング部材のスイッチング動作を円滑に行わせることができる。
【００１５】
さらに請求項４に示すとおり、前記スイッチング部材が、前記検知スイッチの検知部に当接する頂部と、前記係合突起の押圧部が当接する角部と、この角部から前記押圧部の進退方向に沿う向きに延在する底辺部とを備え、全体として略三角形の断面形状をなす外形輪郭に形成された構成とすることができる。これによると、係合突起の押圧部の進退動作に応じたスイッチング部材の昇降動作を円滑に行わせることができ、特に取付誤差に起因する押圧部の進入位置のずれに関係なく、スイッチング部材の高さ位置を略一定とすることができ、取付誤差に影響されることなく検知スイッチの安定した作動を確保することができる。
【００１６】
さらに請求項５に示すとおり、前記係合突起の押圧部が、その横方向の進退に応じて前記スイッチング部材を昇降させる傾斜面を備えた構成とすることができる。これによると、係合突起の押圧部の進退動作に応じたスイッチング部材のスイッチング動作を、簡易な構成で円滑に且つ確実に行わせることができる。
【００１７】
さらに請求項６に示すとおり、前記支持手段が、前記スイッチング部材の中心部に形成された空所内に遊挿された略水平方向の中心軸であり、この中心軸の軸線に直交する向きに遊動可能に前記スイッチング部材を支持する構成とすることができる。これによると、スイッチング部材の縦横の遊動動作を、簡易な構成で円滑に行わせることができる。
【００１８】
この場合、空所の形状は特に限定されないが、円滑な動作を確保する観点から、鋭角部のない形状、例えば略円形の断面形状をなすものとすれば良い。また、同様の観点から、中心軸も、略円形の断面形状をなすものとすると良い。
【００１９】
また本発明においては、請求項７に示すとおり、開閉体の開閉状態を検知スイッチにより検知する開閉検知機構において、所要のスイッチング動作により前記検知スイッチをオンオフ作動させるスイッチング部材と、前記開閉体の開閉動作に応じて前記スイッチング部材にスイッチング動作を行わせるために前記開閉体に設けられた係合突起とを有し、前記スイッチング部材に、開動作時に前記係合突起の押圧部が当接可能な第１の当接部と、閉動作時に前記係合突起の押圧部が当接可能な第２の当接部とが互いにずらして形成され、その２つの当接部の間に、前記係合突起の押圧部の進退動作に対する前記スイッチング部材のスイッチング動作のタイミングを開動作時と閉動作時とでずらす段差が設けられたものとした。
【００２０】
これによると、閉動作時と開動作時とで検知スイッチの作動タイミングをずらすことができるため、閉動作及び開動作をそれぞれ早期に検知することができるようになる。すなわち、閉動作時の検知スイッチの作動タイミングを全閉位置から離れたところに設定して側面ドアの閉動作を早期に検知するようにすることで、給電を再開するタイミングを早くすることができ、これによりドアを閉じてから装置が立ち上がるまでの待ち時間を短縮することができ、その上、開動作時の検知スイッチの作動タイミングを全閉位置の直近に設定して、側面ドアの開動作が開始されると直ちに検知スイッチがオフとなるようにすることで、高電圧や高温に対する安全性を高めることができる。
【００２１】
さらに請求項８に示すとおり、前記押圧部と前記第１の当接部とが整合する第１の軸方向位置から、前記押圧部と前記第２の当接部とが整合する第２の軸方向位置に向けて変位するように、前記スイッチング部材を付勢するばね手段と、閉動作時に前記開閉体に加えられる操作力に基づく押圧力により、前記ばね手段による付勢力に抗して、前記第２の軸方向位置から前記第１の軸方向位置に向けて変位するように、前記スイッチング部材を誘導する誘導手段とを有する構成とすることができる。これによると、スイッチング部材に対する押圧部の当接位置を開動作時と閉動作時とで変化させる切替動作を、簡単な構成で行わせることができる。
【００２２】
さらに請求項９に示すとおり、前記スイッチング部材が、前記係合突起の押圧部が当接する外周面を、略円形の断面形状をなす外形輪郭に形成され、前記第１の当接部となる外周面と、前記第２の当接部となる外周面とが、互いに中心線方向にずらして略同心状に形成された構成とすることができる。これによると、係合突起の押圧部の進退動作に応じたスイッチング部材のスイッチング動作を円滑に行わせることができ、しかもスイッチング部材に対する押圧部の当接位置を開動作時と閉動作時とで変化させる切替動作を円滑に行わせることができる。
【００２３】
さらに請求項１０に示すとおり、前記スイッチング部材が、前記検知スイッチの検知部に当接する頂部と、前記係合突起の押圧部が当接する角部と、この角部から前記押圧部の進退方向に沿う向きに延在する底辺部とを備え、全体として略三角形の断面形状をなす外形輪郭に形成され、前記押圧部が当接する角部に、切り欠きによって前記第１及び第２の各当接部が中心線方向にずらして形成された構成とすることができる。これによると、係合突起の押圧部の進退動作に応じたスイッチング部材のスイッチング動作を円滑に行わせることができ、特に取付誤差に起因する押圧部の進入位置のずれに影響されることなく検知スイッチの安定した作動を確保することができ、しかもスイッチング部材に対する押圧部の当接位置を開動作時と閉動作時とで変化させる切替動作を円滑に行わせることができる。
【発明の効果】
【００２４】
このように本発明によれば、簡単な構造で取付誤差に影響されることなく検知スイッチの安定した作動を確保することができ、取付誤差を修正するための調整部品によるコストの増大を避けると共に調整作業の面倒を解消することができる。また、複数のドアの開閉状況を１つの検知スイッチで検知する場合に、検知スイッチの作動機構の機械的構造を簡素化することができるため、コストを低減すると共に、配置スペースを削減して設計自由度を高めることができる。また、開動作時と閉動作時とで検知スイッチの作動タイミングをずらすことで、開動作の検知を遅らせることなく、閉動作を早期に検知することが可能になり、開閉体を閉じてから装置が立ち上がるまでの待ち時間を短縮して利便性を高めることができる。
【発明を実施するための最良の形態】
【００２５】
以下、本発明の実施の形態を、図面を参照しながら説明する。
【００２６】
図１は、本発明による開閉検知機構が適用される画像形成装置を示す斜視図である。この画像形成装置は、本体１の内部に、電子写真方式により記録紙に画像を形成する画像形成部２を備えており、給紙カセット３に収容された記録紙が画像形成部２に送られて画像形成が行われた後、画像形成済みの記録紙が排紙トレイ４上に排出されるようになっている。なお、この画像形成装置は、本体１の上部に、複写やファクシミリ送信のための原稿読取部５を備えており、その手前側には、各種の動作の指示や設定のための操作パネル６が設けられている。
【００２７】
本体１の側面には、給紙カセット３の記録紙を画像形成部２に搬送する搬送経路、並びに画像形成部２を通過した記録紙を排紙トレイ４に導く搬送経路を外部に開放するように開く側面ドア（開閉体）７が設けられており、搬送経路上で紙づまりを起こした記録紙を排除するなどのメンテナンス作業を行うことができる。この側面ドア７は、下端部を枢着されて縦向きに開閉可能となっている。また本体１の正面には、画像形成部２の正面側を外部に露出させるように開く正面ドア（開閉体）８が設けられており、画像形成部２のトナー交換などのメンテナンス作業を行うことができる。この正面ドア８は、側縁部を枢着されて横向きに開閉可能となっている。これら側面及び正面の各ドア７・８は、図示しない係止機構により全閉状態に保持される。
【００２８】
側面ドア及び正面ドア７・８は、図１（Ａ）〜（Ｃ）に示すように、それぞれ独立して開閉可能となっており、この側面及び正面の両ドア７・８の開閉状態が、図１（Ｂ）に透視して示した開閉検知機構９により検知され、側面及び正面の両ドア７・８のいずれかが開いた状態であれば、高電圧や高温に対する安全性を確保すると共に、記録紙の搬送などの装置の正常な動作を確保するため、制御部において動力系及び電気系の各部品への給電が停止され、操作パネル６の表示部にドアが開いている旨の警告表示が行われる。
【００２９】
図２は、図１に示した画像形成装置に適用される開閉検知機構の第１の実施形態を示す斜視図である。この開閉検知機構は、側面及び正面の両ドア７・８が共に閉じられた状態を１つの検知スイッチ１１により検知するものであり、上下方向のスイッチング動作により検知スイッチ１１をオンオフ作動させるスイッチング部材１２と、側面ドア７の開閉動作に応じてスイッチング部材１２にスイッチング動作を行わせるために側面ドア７に設けられる第１の係合突起１３と、正面ドア８の開閉動作に応じてスイッチング部材１２にスイッチング動作を行わせるために正面ドア８に設けられる第２の係合突起１４とを有している。
【００３０】
検知スイッチ１１は、直動型のプランジャ（検知部）１８を備え、このプランジャ１８の軸方向動作により、固定接点に対して可動接点を接離させてオンオフ作動させるようになっており、プランジャ１８の先端にスイッチング部材１２の頂部が当接するように配置され、スイッチング部材１２の昇降動作により検知スイッチ１１がオンオフ作動する。なお、プランジャ１８は、スイッチング部材１２の押圧力がない場合には下向きに突出する初期位置に復帰するようにばね付勢されている。
【００３１】
スイッチング部材１２は、略円形の断面形状をなす外形輪郭を有し、中心部には、略円形の断面形状をなす空所２１が形成されている。この空所２１には、略水平方向に延在する略円形の断面形状をなす中心軸（支持手段）２２が遊挿されており、この中心軸２２によりスイッチング部材１２が、中心軸２２の軸線に直交する向きで、且つ検知スイッチ１１をオンオフ作動させる作動位置を挟んだ縦方向及び横方向に遊動可能に支持されている。またスイッチング部材１２は、軸方向の移動を図示しないストッパで規制される。
【００３２】
第１の係合突起１３は、先端部に、スイッチング部材１２の外周面に当接する押圧部２４を備えている。この係合突起１３は、横方向の支軸回りに回動する側面ドア７と一体となって、矢印Ａで示すように回動し、側面ドア７の全閉位置の近傍では、押圧部２４は、スイッチング部材１２の斜め下方で、中心軸２２の軸方向に対して直交する略水平方向に進退動作する。すなわち、側面ドア７の開動作時には、押圧部２４が横向きに後退し、これに伴ってスイッチング部材１２が自重により降下し、他方、側面ドア７の閉動作時には、押圧部２４が前進し、これに伴ってスイッチング部材１２が押し上げられる。この押圧部２４の進退動作に応じたスイッチング部材１２の昇降動作を円滑化するため、その進退方向に対して傾斜した傾斜面２４ａが押圧部２４に設けられている。
【００３３】
第２の係合突起１４も、第１の係合突起１３と同様に、先端部に、スイッチング部材１２の外周面に当接する押圧部２６を備えている。この係合突起１４は、縦方向の支軸回りに回動する正面ドア８と一体となって、矢印Ｂで示すように回動し、正面ドア８の全閉位置の近傍では、押圧部２６が、スイッチング部材１２の斜め下方で、中心軸２２の軸方向に平行な略水平方向に進退動作する。すなわち、正面ドア８の開動作時には、押圧部２６が横向きに後退し、これに伴ってスイッチング部材１２が自重により降下し、他方、正面ドア８の閉動作時には、押圧部２６が前進し、これに伴ってスイッチング部材１２が押し上げられる。この押圧部２６の進退動作に応じたスイッチング部材１２の昇降動作を円滑化するため、その進退方向に対して傾斜した傾斜面２６ａが押圧部２６に設けられている。
【００３４】
図３・図４は、図２に示した開閉検知機構の動作状況を示す正面図及び側面図である。図３（Ａ）は、側面及び正面の両ドア７・８が共に全閉された状態を示しており、第１・第２の係合突起１３・１４が共に検知スイッチ１１をオンとする作動位置を越える所定の高さ位置にスイッチング部材４１を押し上げている。この状態では、第１の係合突起１３における押圧部２４の傾斜面２４ａがスイッチング部材１２の外周面に当接してスイッチング部材１２を規制し、またスイッチング部材１２は、第２の係合突起１４における押圧部２６の傾斜面２６ａにより押し上げられた後に上面２６ｂに乗り上げ、その稜線部分で規制されており、これによりスイッチング部材１２が所定の最上位置に保持される。
【００３５】
図３（Ｂ）は、側面及び正面の両ドア７・８が共に開いた状態を示しており、この状態では、第１・第２の係合突起１３・１４が共に、スイッチング部材１２を規制しない後退位置にあり、スイッチング部材１２は自重により降下して中心軸２２から吊り下げられた状態となっている。
【００３６】
図４（Ａ）は、側面ドア７のみを閉じた状態を示しており、この状態では、第１の係合突起１３がスイッチング部材１２を押し上げる押上位置にあるが、第２の係合突起１４がスイッチング部材１２を規制しない後退位置にあるため、スイッチング部材１２は、第２の係合突起１４側に横方向に変位して作動位置まで上昇できない。図４（Ｂ）は、正面ドア８のみを閉じた状態を示しており、この状態では、図４（Ａ）とは逆にスイッチング部材１２が、第１の係合突起１３側に横方向に変位して作動位置まで上昇できない。
【００３７】
このように側面及び正面の両ドア７・８が共に閉じて、第１・第２の係合突起１３・１４が共にスイッチング部材１２を押し上げる押上位置にある場合にのみ、スイッチング部材１２が検知スイッチ１１を作動させる所定の作動位置に上昇保持され、側面及び正面の両ドア７・８の少なくともいずれかが開いて、第１・第２の両係合突起１３・１４の少なくともいずれかがスイッチング部材１２を規制しない後退位置にある場合には、スイッチング部材１２が作動位置に上昇保持されず、検知スイッチ１１はオフとなる。
【００３８】
図５は、図１に示した画像形成装置に適用される開閉検知機構の第２の実施形態を示す斜視図である。この開閉検知機構は、前記の例と同様に、側面及び正面の両ドア７・８が共に閉じられた状態を１つの検知スイッチ１１により検知するものであり、上下方向のスイッチング動作により検知スイッチ１１をオンオフ作動させるスイッチング部材４１と、側面ドア７の開閉動作に応じてスイッチング部材４１にスイッチング動作を行わせるために側面ドア７に設けられる第１の係合突起４２と、正面ドア８の開閉動作に応じてスイッチング部材４１にスイッチング動作を行わせるために正面ドア８に設けられる第２の係合突起４３とを有している。
【００３９】
スイッチング部材４１は、全体として略三角形の断面形状をなす外形輪郭を有し、中心線方向に略等断面に形成されたものとなっており、検知スイッチ１１のプランジャ１８に当接する頂部５１と、第１の係合突起４２の押圧部４６が当接する角部５２と、第２の係合突起４３の押圧部４９が当接する角部５３とを備えている。２つの角部５２・５３の間には、正面視で略直線状をなす平坦な底辺部５４が形成されている。角部５２は、第１の係合突起４２の押圧部４６による押し上げ動作が円滑化するように円弧状断面に形成されている。また底辺部５４の軸方向の端縁部には、第２の係合突起４３の押圧部４９による押し上げ動作が円滑化するように面取が施されている（図６・図７参照）。
【００４０】
スイッチング部材４１の中心部には、略水平方向に延在する略円形の断面形状をなす中心軸（支持手段）５６が遊挿される略円形の断面形状をなす空所５７が形成されており、スイッチング部材４１が、検知スイッチ１１をオンオフ作動させる作動位置を挟んだ縦方向及び横方向に遊動可能に支持されている。またスイッチング部材４１は、軸方向の移動を図示しないストッパで規制される。
【００４１】
第１の係合突起４２は、前記図２に示した例と同様に、先端部に、スイッチング部材４１の外周面に当接する押圧部４６を備えており、この押圧部４６は、側面ドア７の開閉動作に応じて第１の係合突起１４が回動するのに伴って、スイッチング部材４１の斜め下方で進退動作し、特に側面ドア７の全閉位置の近傍では、中心軸２２の軸方向に対して直交する略水平方向に進退動作し、この押圧部４６の進退動作に応じたスイッチング部材４１の昇降動作を円滑化する傾斜面４６ａが押圧部４６に設けられている。
【００４２】
第２の係合突起４３も、前記図２に示した例と同様に、先端部に、スイッチング部材４１の外周面に当接する押圧部４９を備えており、この押圧部４９は、正面ドア８の開閉動作に応じて第２の係合突起４３が回動するのに伴ってスイッチング部材４１の斜め下方で進退動作し、特に正面ドア８の全閉位置の近傍では、中心軸２２の軸方向に平行な略水平方向に進退動作し、この押圧部４９の進退動作に応じたスイッチング部材１２の昇降動作を円滑化する傾斜面４９ａが押圧部４９に設けられている。
【００４３】
図６・図７は、図５に示した開閉検知機構の動作状況を示す正面図及び側面図である。図６（Ａ）は、側面及び正面の両ドア７・８が共に全閉された状態を示しており、第１・第２の両係合突起４２・４３は共に、検知スイッチ１１をオンとする作動位置を越える所定の高さ位置にスイッチング部材４１を押し上げている。この状態では、第１係合突起４２の押圧部４６の上面４６ｂでスイッチング部材４１の一方の角部５２が規制され、また第２係合突起４３の押圧部４９の上面４９ｂでスイッチング部材４１の他方の角部５３が規制されており、これによりスイッチング部材４１が所定の最上位置に保持される。
【００４４】
図６（Ｂ）は、側面及び正面の両ドア７・８が共に開いた状態を示しており、この状態では、第１・第２の両係合突起４２・４３が共に後退位置にあり、スイッチング部材４１は中心軸５６から吊り下げられた状態となっている。
【００４５】
スイッチング部材４１の一方の角部５２は、側面ドア７の閉動作時に、第１の係合突起４２における押圧部４６の傾斜面４６ａにより押し上げられた後に上面４６ｂに乗り上げ、スイッチング部材４１の他方の角部５３は、正面ドア８の閉動作時に、第２係合突起４３の押圧部４９の傾斜面４９ａにより押し上げられた後に上面４９ｂに乗り上げ、これにより検知スイッチ１１をオンとする作動位置を越える所定の高さ位置にスイッチング部材４１が保持される。
【００４６】
特にここでは、側面ドア７の全閉位置の近傍で、第１の係合突起４２の押圧部４６が最も高くなる角度位置となるように設定されて略水平方向に変位するようになっており、また、スイッチング部材４１は、第１の係合突起４２の押圧部４６が当接する底辺部５４が略水平方向に真直に延在する角度位置にあり、この状態では、押圧部４６は底辺部５４に沿う向きに進退動作するのみで、スイッチング部材４１の高さ位置が殆ど変化しない。このため、押圧部４６の進入位置のずれに関係なく、スイッチング部材４１の高さ位置を略一定とすることができ、これにより横方向の取付誤差に影響を受けることなく、検知スイッチ１１を的確に作動させることができる。また、第２の係合突起４３の押圧部４９も略水平方向に変位するため、押圧部４９の進入位置のずれに関係なく、スイッチング部材４１の高さ位置を略一定として、横方向の取付誤差に影響を受けることなく検知スイッチ１１を的確に作動させることができる。
【００４７】
図７（Ａ）は、側面ドア７のみが閉じた状態を示しており、この状態では、第１の係合突起４２が押上位置にあるが、第２の係合突起４３が後退位置にあるため、スイッチング部材４１は、第２の係合突起４３側に傾斜した状態で検知スイッチ１１の作動位置まで上昇できない。図７（Ｂ）は、正面ドア８のみが閉じた状態を示しており、この状態では、図７（Ａ）とは逆にスイッチング部材４１が、第１の係合突起４２側に傾斜した状態で検知スイッチ１１の作動位置まで上昇できない。
【００４８】
このように側面及び正面の両ドア７・８が共に閉じて、第１・第２の両係合突起４２・４３が共に押上位置にある場合にのみ、スイッチング部材４１が検知スイッチ１１をオンとする作動位置に上昇保持され、他方、側面及び正面の両ドア７・８の少なくともいずれかが開いて、第１・第２の両係合突起４２・４３の少なくともいずれかがスイッチング部材４１を規制しない後退位置にある場合には、スイッチング部材４１が作動位置に上昇保持されず、検知スイッチ１１はオフとなる。
【００４９】
図８は、図１に示した画像形成装置に適用される開閉検知機構の第３の実施形態を示す斜視図である。この開閉検知機構は、側面ドア７の開閉状態を検知スイッチ１１により検知するものであり、上下方向のスイッチング動作により検知スイッチ１１をオンオフ作動させるスイッチング部材６１と、側面ドア７の開閉動作に応じてスイッチング部材６１にスイッチング動作を行わせるために側面ドア７に設けられる係合突起６２と、この係合突起６２と相反する側でスイッチング部材６１を斜め下方から規制する規制部材６３とを有している。
【００５０】
スイッチング部材６１は、前記図２に示した例と同様に、略円形の断面形状をなす外形輪郭を有し、また中心部には、略水平方向に延在する略円形の断面形状をなす中心軸（支持手段）６８が遊挿される略円形の断面形状をなす空所６９が形成されており、スイッチング部材６１が、検知スイッチ１１をオンオフ作動させる作動位置を挟んだ縦方向及び横方向に遊動可能に支持されている。またスイッチング部材６１は、所要の範囲を超える軸方向の移動を図示しないストッパで規制される。
【００５１】
係合突起６２は、前記の各例と同様に、先端部に、スイッチング部材６１の外周面に当接する押圧部６６を備えており、この押圧部６６は、側面ドア７の開閉動作に応じて係合突起６２が回動するのに伴ってスイッチング部材６１の斜め下方で進退動作し、特に側面ドア７の全閉位置の近傍では、中心軸６８の軸方向に対して直交する略水平方向に進退動作し、この押圧部６６の進退動作に応じたスイッチング部材６１の昇降動作を円滑化する傾斜面６６ａが押圧部６６に設けられている。
【００５２】
図９・図１０・図１１は、図８に示した開閉検知機構の動作状況を示す正面図及び上面図である。図９（Ａ）に示す状態Ｉでは、側面ドア７が全閉されており、係合突起６２は、検知スイッチ１１をオンとする作動位置を越える高さ位置にスイッチング部材６１を押し上げている。この状態では、係合突起６２の押圧部６６がスイッチング部材６１を斜め下方から規制し、また規制部材６３が、前記図２に示した例での第２の係合突起１４の押圧部２６と同様に、上面側の稜線部分でスイッチング部材６１を斜め下方から規制しており、これによりスイッチング部材６１が所定の高さ位置に保持される。
【００５３】
この状態から側面ドア７を開くと、図９（Ｂ）に示す状態IIのように、係合突起６２の押圧部６６が後退し、これに伴ってスイッチング部材６１も自重により降下して検知スイッチ１１がオフとなる。さらに側面ドア７を開くと、図１０（Ａ）に示す状態IIIのように、支軸６８及び規制部材６３により支持された釣り合い位置でスイッチング部材６１が静止する。
【００５４】
他方、側面ドア７を閉じると、図１０（Ｂ）に示す状態IV、図１１（Ａ）に示す状態Ｖのように、係合突起６２の押圧部６６がスイッチング部材６１に当接した後、側面ドア７に加えられる押し込み操作力により押圧部６６がスイッチング部材６１を押し上げて、検知スイッチ１１がオンとなり、側面ドア７を完全に閉じると、図９（Ａ）に示す状態Ｉとなる。
【００５５】
図１２は、図８に示した開閉検知機構の要部を詳しく示す斜視図である。スイッチング部材６１は、前記図２に示した例と同様に、係合突起６２の押圧部６６が当接する外周面が、略円形の断面形状をなす外形輪郭に形成されているが、前記図２に示した例と異なり、小径部７１と大径部７２とが互いに中心線方向にずらして略同心状に形成されており、小径部（第１の当接部）７１と大径部（第２の当接部）７２との間の段差により、側面ドア７の開閉動作に応じた係合突起６２の押圧部６６の進退動作に対するスイッチング部材６１の昇降動作のタイミングを、開動作時と閉動作時とでずらすようにしている。
【００５６】
また係合突起６２には、側面ドア７の開閉動作に応じた押圧部６６の進退動作と連動して、この押圧部６６の進退方向に対して直交する軸方向にスイッチング部材６１を移動させて、その小径部７１が押圧部６６に当接する位置（第１の軸方向位置）と、大径部７２が押圧部６６に当接する位置（第２の軸方向位置）との間で、スイッチング部材６１を行き来させる切替動作を行わせるためのばね（ばね手段）７４及び誘導部７５が設けられている。
【００５７】
誘導部７５には、係合突起６２の押圧部６６の進退方向に対して傾斜した傾斜面７６が形成されており、この傾斜面７６は、スイッチング部材６１の外周面に対して斜め下方から当接する押圧部６６の上方において、スイッチング部材６１の外周面に対して略水平方向に当接するように配置されている。ばね７４は、圧縮ばねであり、小径部７１が押圧部６６に整合する第１の軸方向位置にあるスイッチング部材６１を、大径部７２が押圧部６６に整合する第２の軸方向位置に向けて変位させるように付勢する。
【００５８】
スイッチング部材６１には、ばね７４の付勢力Ｆ1が常時作用しており、矢印Ａで示す向きにスイッチング部材６１を変位させるように付勢しているが、側面ドア７の閉動作時には、側面ドア７に加えられる押し込み操作力に基づく押圧力Ｆ2が係合突起６２に作用するため、誘導部７５の傾斜面７６の機能により、ばね７４の付勢力Ｆ1に抗して、矢印Ｂで示す向きにスイッチング部材６１を変位させる力が生じ、大径部７２が押圧部６６に整合する第２の軸方向位置にあるスイッチング部材６１が、小径部７１が押圧部６６に整合する第１の軸方向位置に向けて誘導される。
【００５９】
他方、側面ドア７の開動作時には、側面ドア７の押し込み操作力に基づく押圧力Ｆ2が係合突起６２に作用することはなく、側面ドア７の開動作に追随して係合突起６２が回動して押圧部６６が後退すると、スイッチング部材６１は、押圧部６６に小径部７１が整合する第１の軸方向位置から、ばね７４の付勢力Ｆ1により矢印Ａで示す向きに変位して、大径部７２が押圧部６６に整合する第２の軸方向位置となる。
【００６０】
したがって、図９（Ａ）に示すように側面ドアが閉じられた状態Ｉでは、係合突起６２の押圧部６６に対して小径部７１が当接する第１の軸方向位置にスイッチング部材６１があり、この状態から側面ドア７を開いて、図１０（Ａ）に示す状態IIIのように、側面ドア７の係合突起６２がスイッチング部材６１から離れると、ばね７４の付勢力により係合突起６２の押圧部６６に対して大径部７２が整合する軸方向位置にスイッチング部材６１が変位する。
【００６１】
他方、側面ドア７を閉じると、図１０（Ｂ）に示す状態VIのように、係合突起６２の押圧部６６がスイッチング部材６１の大径部７２に当接し、さらにスイッチング部材６１が傾斜面７６に当接すると、傾斜面７６の誘導機能により、係合突起６２の押圧部６６が前進するのに応じて、押圧部６６が小径部７１側に軸方向に徐々に移動して、図１１（Ａ）に示す状態Ｖとなり、ここで大径部７２の端から押圧部６６が外れると、図１１（Ｂ）に示す状態VIのように、押圧部６６が小径部７１に乗り移り、このときスイッチング部材６１が一旦降下する。そして側面ドア７をさらに閉じると、係合突起６２の押圧部６６の前進に伴ってスイッチング部材６１が上昇し、側面ドア７を完全に閉じると、図９（Ａ）に示す状態Ｉとなる。
【００６２】
図１３は、図８に示した開閉検知機構のヒステリシス特性を説明する図である。ここでは、横軸に係合突起６２の押圧部６６の進退位置を示し、縦軸にスイッチング部材６１の昇降位置を示している。
【００６３】
前記のように本開閉検知機構においては、開動作時には係合突起６２の押圧部６６がスイッチング部材６１の小径部７１に当接した状態となり、他方、閉動作時には係合突起６２の押圧部６６がスイッチング部材６１の大径部７２に当接した状態となり、ここでスイッチング部材６１の小径部７１と大径部７２との間には段差があるため、スイッチング部材６１が検知スイッチ１１をオンオフ作動させるタイミングが開動作時と閉動作時とでずれた状態となり、いわゆるヒステリシス特性が現れる。
【００６４】
このため、開動作時の検知スイッチ１１の作動タイミングを全閉位置の直近に設定して、側面ドア７の開動作が開始されると直ちに検知スイッチ１１をオフさせるようにして、高電圧や高温に対する安全性を高め、同時に、閉動作時の検知スイッチ１１の作動タイミングを全閉位置から離れたところに設定して、側面ドア７の閉動作を早期に検知するようにして、給電を再開するタイミングを早くすることで、側面ドア７を閉じてから装置が立ち上がるまでの待ち時間を短縮することができる。
【００６５】
図１４は、図１に示した画像形成装置に適用される開閉検知機構の第４の実施形態を示す斜視図である。この開閉検知機構は、前記図８に示した例と同様に、側面ドア７の開閉状態を検知スイッチ１１により検知するものであり、上下方向のスイッチング動作により検知スイッチ１１をオンオフ作動させるスイッチング部材８１と、側面ドア７の開閉動作に応じてスイッチング部材８１にスイッチング動作を行わせるために側面ドア７に設けられる係合突起８２と、この係合突起８２と相反する側でスイッチング部材８１を斜め下方から規制する規制部材８３とを有している。
【００６６】
スイッチング部材８１は、前記図５に示した例と同様に、全体として略三角形の断面形状をなす外形輪郭を有し、検知スイッチ１１のプランジャ（検知部）１８に当接する頂部８８と、係合突起８２の押圧部８６が当接する角部８９と、規制部材８３が当接する角部９０とを備えている。２つの角部８９・９０の間には、正面視で略直線状をなす平坦な底辺部９１が形成されている。
【００６７】
スイッチング部材８１の中心部には、略水平方向に延在する略円形の断面形状をなす中心軸（支持手段）９３が遊挿される略円形の断面形状をなす空所９４が形成されており、スイッチング部材８１が、検知スイッチ１１をオンオフ作動させる作動位置を挟んだ縦方向及び横方向に遊動可能に支持されている。またスイッチング部材８１は、所要の範囲を超える軸方向の移動を図示しないストッパで規制される。
【００６８】
係合突起８２は、前記の各例と同様に、先端部に、スイッチング部材８１の外周面に当接する押圧部８６を備えており、この押圧部８６は、側面ドア７の開閉動作に応じて係合突起８２が回動するのに伴ってスイッチング部材８１の斜め下方で進退動作し、特に側面ドア７の全閉位置の近傍では、中心軸９３の軸方向に対して直交する略水平方向に進退動作し、この押圧部８６の進退動作に応じたスイッチング部材８１の昇降動作を円滑化する傾斜面８６ａが押圧部８６に設けられている。
【００６９】
図１５・図１６・図１７は、図１４に示した開閉検知機構の動作状況を示す正面図及び上面図である。図１５（Ａ）に示す状態Ｉでは、側面ドア７が全閉されており、係合突起８２は、検知スイッチ１１をオンとする作動位置を越える高さ位置にスイッチング部材８１を押し上げている。この状態では、スイッチング部材８１の一方の角部８９が、係合突起８２の押圧部８６の上面８６ｂに乗り上げて底面を規制されており、また他方の角部９０が、前記図５に示した例での第２の係合突起４３の押圧部４９と同様に底面を規制されており、これによりスイッチング部材８１が所定の高さ位置に保持される。
【００７０】
この状態から側面ドア７を開くと、図１５（Ｂ）に示す状態II、図１５（Ｃ）に示す状態IIIのように、側面ドア７の開動作に応じて係合突起８２の押圧部８６が後退し、これに伴ってスイッチング部材８１も自重により降下して検知スイッチ１１がオフとなる。さらに側面ドアを開くと、図１６（Ａ）に示す状態IVのように、支軸９３及び規制部材８３により支持された釣り合い位置でスイッチング部材８１が静止し、図１６（Ｂ）に示す状態Ｖのように、側面ドア７をさらに開いて側面ドア７の係合突起８２が離れても、スイッチング部材８１の姿勢に変化はない。
【００７１】
他方、側面ドア７を閉じると、図１７（Ａ）に示す状態VI、図１７（Ｂ）に示す状態VIIのように、係合突起８２の押圧部８６がスイッチング部材８１に当接した後、側面ドア７に加えられる押し込み操作力により押圧部８６がスイッチング部材８１を押し上げて、検知スイッチ１１がオンとなり、側面ドア７を完全に閉じると、図１５（Ａ）に示す状態Ｉとなる。
【００７２】
図１８は、図１４に示した開閉検知機構の要部を詳しく示す斜視図である。スイッチング部材８１では、係合突起８２の押圧部８６が当接する角部８９の軸方向の端部に切り欠き１０１が形成されており、その切り欠き面（第１の当接部）１０２と、これに対して軸方向にずれた外周面部分（第２の当接部）１０３との間の段差により、側面ドア７の開閉動作に応じた係合突起８２の押圧部８６の進退動作に対するスイッチング部材８１の昇降動作のタイミングを、開動作時と閉動作時とでずらすようにしている。
【００７３】
また係合突起８２には、側面ドア７の開閉動作に応じた押圧部８６の進退動作と連動して、この押圧部８６の進退方向に対して直交する軸方向にスイッチング部材８１を変位させて、その切り欠き面１０２を押圧部８６に整合させる位置（第１の軸方向位置）と、切り欠き面１０２からずれた外周面部分１０３を押圧部８６に整合させる位置（第２の軸方向位置）との間で、スイッチング部材８１を行き来させる切替動作を行わせるためのばね（ばね手段）１０５及び誘導部１０６が設けられている。
【００７４】
誘導部１０６には、係合突起８２の押圧部８６の進退方向に対して傾斜した傾斜面１０７が形成されており、この傾斜面１０７は、スイッチング部材８１の角部８９に対して斜め下方から当接する押圧部８６の上方において、スイッチング部材８１の角部８９に対して略水平方向から当接するように配置されている。ばね１０５は、引張ばねであり、切り欠き面１０２が押圧部８６に整合する第１の軸方向位置から、切り欠き１０１からずれた外周面部分１０３が押圧部８６に整合する第２の軸方向位置に向けてスイッチング部材８１を変位させるように付勢する。
【００７５】
スイッチング部材８１には、ばね１０５の付勢力Ｆ1が常時作用しており、矢印Ａで示す向きにスイッチング部材８１を変位させるように付勢しているが、側面ドア７の閉動作時には、側面ドア７に加えられる押し込み操作力に基づく押圧力Ｆ2が係合突起８２に作用するため、誘導部１０６の傾斜面１０７の機能により、ばね１０５の付勢力Ｆ1に抗して、矢印Ｂで示す向きにスイッチング部材８１を変位させる力が生じ、切り欠き１０１からずれた外周面部分１０３が押圧部８６に整合する第２の軸方向位置にあるスイッチング部材８１が、切り欠き面１０２が押圧部８６に整合する第１の軸方向位置に向けて誘導される。
【００７６】
他方、側面ドア７の開動作時には、側面ドア７の押し込み操作力に基づく押圧力Ｆ2が係合突起８２に作用することはなく、側面ドア７の開動作に追随して係合突起８２が回動して押圧部８６が後退すると、スイッチング部材８１は、押圧部８６に切り欠き面１０２が整合する第１の軸方向位置から、ばね１０５の付勢力Ｆ1により矢印Ａで示す向きに変位して、切り欠き面１０２と軸方向にずれた外周面部分１０３に押圧部８６が整合する第２の軸方向位置となる。
【００７７】
図１９は、図１４に示した開閉検知機構におけるスイッチング部材に対する係合突起の当接部分の変位状況を示す斜視図である。スイッチング部材８１に対して係合突起８２の押圧部８６が当接する位置は、側面ドア７の開閉動作により係合突起８２が回動するのに伴ってスイッチング部材８１と押圧部８６との当接角度が変化するのに応じて、スイッチング部材８１の周方向に変化し、且つばね１０５及び傾斜面１０７の作用により、切り欠き面１０２に整合する位置とこれよりずれた外周面部分１０３に整合する位置との間で軸方向に変化する。
【００７８】
具体的には、図１５（Ａ）に示すように側面ドア７が全閉された状態Ｉでは、係合突起８２の押圧部８６がスイッチング部材８１の底辺側の面１１１に当接し、このとき、押圧部８６が切り欠き面１０２と整合する軸方向位置にあるため、側面ドア７が開動作するのに応じて、押圧部８６が切り欠き１０１に入り込み、図１５（Ｂ）に示す状態II、つづいて図１５（Ｃ）に示す状態IIIとなる。
【００７９】
さらに側面ドア７が開動作すると、押圧部８６が切り欠き１０１から抜け出し、スイッチング部材８１に対する押圧部８６の当接部分は、スイッチング部材８１の斜辺側の面１１２に移動し、図１６（Ａ）に示す状態IVとなり、この状態では、ばね１０５の付勢力により押圧部８６が軸方向に変位して、押圧部８６の当接部分は、切り欠き１０１に対して軸方向にずれた外周面部分１０３となる。
【００８０】
次に、側面ドア７が閉動作すると、スイッチング部材８１に対する押圧部８６の当接部分は、切り欠き１０１に対して軸方向にずれた外周面部分１０３を周方向に変位し、図１７（Ａ）に示す状態VIとなり、さらに図１７（Ｂ）に示す状態VIIとなる。そして、スイッチング部材８１が傾斜面１０７に当接すると、傾斜面１０７の誘導機能により、押圧部８６の当接部分は、スイッチング部材８１の周方向に変位しながら、同時に切り欠き１０１側にも変位し、切り欠き１０１と軸方向に整合する図１５（Ａ）に示す状態Ｉとなる。
【００８１】
図２０は、図１４に示した開閉検知機構のヒステリシス特性を説明する図である。ここでは、横軸に係合突起８２の押圧部８６の進退位置を示し、縦軸にスイッチング部材８１の昇降位置、具体的には検知スイッチ１１のプランジャ１８に当接する頂部８８の位置を示している。
【００８２】
前記のように本開閉検知機構においては、スイッチング部材８１に対する係合突起８２の当接部分が、側面ドア７の開動作時と閉動作時とで異なる経路で変位し、開動作時に係合突起８２の当接部分が通過するスイッチング部材８１の切り欠き面（第１の当接部）１０２と、閉動作時に係合突起８２の当接部分が通過するスイッチング部材８１の外周面（第２の当接部）１０３との間には段差があるため、スイッチング部材８１が検知スイッチ１１をオンオフ作動させるタイミングが開動作時と閉動作時とでずれた状態となり、前記の例と同様のヒステリシス特性が現れる。
【００８３】
図２１は、本発明による開閉検知機構が適用される用紙処理装置としてのフィニッシャ及び給紙ユニットを示す斜視図である。ここでは、用紙処理装置としてのフィニッシャ１２１及び給紙ユニット１２２が画像形成装置１２３に併設されている。フィニッシャ１２１は、画像形成装置１２３から排出された記録紙を複数の排紙トレイ１２５に分けて排出させる仕分け処理を行う他、複数枚の記録紙をステープルで綴じるステープル処理、記録紙に綴じ穴を穿設するパンチ処理、記録紙を中心線に沿って折り畳む中綴じ製本処理などの各種の仕上げ処理を行う機能を有している。給紙ユニット１２２は、画像形成装置１２３の給紙カセット１２６では収容不能な大量の記録紙を収容して画像形成装置１２３に記録紙を給紙するものである。
【００８４】
フィニッシャ１２１には、本体１３１の正面に正面ドア（開閉体）１３２が設けられ、また本体１３１の上面に上面ドア（開閉体）１３３が設けられており、これら正面及び上面の各ドア１３２・１３３を開くことで、画像形成装置１２３から排出された記録紙を複数の排紙トレイ１２５に導く搬送経路が外部に開放されると共に、ステープル処理などの各種の仕上げ処理を行う処理部が外部に露出されて、ここで紙づまりを起こした記録紙を排除するなどのメンテナンス作業を行うことができる。給紙ユニット１２２には、本体１３５の側面に側面ドア（開閉体）１３６が設けられており、この側面ドア１３６を開くことで、内部に収容した記録紙を画像形成装置１２３に向けて搬送する搬送経路が開放されて、搬送経路上で紙づまりを起こした記録紙を排除するなどのメンテナンス作業を行うことができる。
【００８５】
フィニッシャ１２１においては、図２１（Ｂ）に示すように、正面及び上面の両ドア１３２・１３３の開閉状態が本発明による開閉検知機構１４１により検知され、これらのドア１３２・１３３のいずれかが開いた状態となると、画像形成装置１２３に対して警告信号が送信される。また、給紙ユニット１２２においては、側面ドア１３６の開閉状態が本発明による開閉検知機構１４２により検知され、この側面ドア１３６が開いた状態となると、画像形成装置１２３に対して警告信号が送信される。画像形成装置１２３においては、フィニッシャ１２１及び給紙ユニット１２２からの警告信号を受信して、制御部において動力系及び電気系の各部品への給電が停止され、また画像形成装置１２３の操作パネル１２８の表示部にドアが開いている旨の警告表示が行われる。フィニッシャ１２１及び給紙ユニット１２２に設けられる開閉検知機構１４１・１４２は、前記図２〜図２０に示した構成のものを適宜に採用すれば良い。
【００８６】
なお、前記図２に示した第１の実施形態、及び図５に示した第２の実施形態では、２つのドアが共に閉じられた状態を１つの検知スイッチにより検知する構成とし、他方、図８に示した第３の実施形態、及び図１４に示した第４の実施形態では、単一のドアの開閉状態を検知する構成としたが、それぞれ逆の構成とすることも可能である。
【００８７】
すなわち前記図２に示した第１の実施形態、及び図５に示した第２の実施形態で、単一のドア、例えば側面ドア７のみの開閉状態を検知する構成とすることが可能であり、この場合、第２の係合突起１４・４３を、第１の係合突起１３・４２と相反する側でスイッチング部材１２・４１を斜め下方から規制する規制部材に置き換えれば良い。また、前記図８に示した第３の実施形態、及び図１４に示した第４の実施形態で、２つのドアが共に閉じられた状態を１つの検知スイッチにより検知する構成とすることが可能であり、この場合、規制部材６３・８３を、正面ドア８に設けられてこれと一体的に回動する係合突起に置き換えれば良い。
【産業上の利用可能性】
【００８８】
本発明にかかる開閉検知機構並びにこれを備えた画像形成装置及び用紙処理装置は、簡単な構造で取付誤差に影響されることなく検知スイッチの安定した作動を確保することができ、また複数のドアの開閉状況を１つの検知スイッチで検知する場合に、検知スイッチの作動機構の機械的構造を簡素化することができ、また開動作時と閉動作時とで検知スイッチの作動タイミングをずらして設定することができる効果を有し、開閉体の開閉状態を検知スイッチにより検知する開閉検知機構、並びにこれを備えた画像形成装置、例えばプリンタ、ファクシミリ装置、複写機、複合機など、及び用紙処理装置、例えば画像形成装置に併設されるフィニッシャや給紙ユニットなどとして有用である。
【図面の簡単な説明】
【００８９】
【図１】本発明による開閉検知機構が適用される画像形成装置を示す斜視図
【図２】図１に示した画像形成装置に適用される開閉検知機構の第１の実施形態を示す斜視図
【図３】図２に示した開閉検知機構の動作状況を示す正面図及び側面図
【図４】図２に示した開閉検知機構の動作状況を示す正面図及び側面図
【図５】図１に示した画像形成装置に適用される開閉検知機構の第２の実施形態を示す斜視図
【図６】図５に示した開閉検知機構の動作状況を示す正面図及び側面図
【図７】図５に示した開閉検知機構の動作状況を示す正面図及び側面図
【図８】図１に示した画像形成装置に適用される開閉検知機構の第３の実施形態を示す斜視図
【図９】図８に示した開閉検知機構の動作状況を示す正面図及び上面図
【図１０】図８に示した開閉検知機構の動作状況を示す正面図及び上面図
【図１１】図８に示した開閉検知機構の動作状況を示す正面図及び上面図
【図１２】図８に示した開閉検知機構の要部を詳しく示す斜視図
【図１３】図８に示した開閉検知機構のヒステリシス特性を説明する図
【図１４】図１に示した画像形成装置に適用される開閉検知機構の第４の実施形態を示す斜視図
【図１５】図１４に示した開閉検知機構の動作状況を示す正面図及び上面図
【図１６】図１４に示した開閉検知機構の動作状況を示す正面図及び上面図
【図１７】図１４に示した開閉検知機構の動作状況を示す正面図及び上面図
【図１８】図１４に示した開閉検知機構の要部を詳しく示す斜視図
【図１９】図１４に示した開閉検知機構におけるスイッチング部材に対する係合突起の当接部分の変位状況を示す斜視図
【図２０】図１４に示した開閉検知機構のヒステリシス特性を説明する図
【図２１】本発明による開閉検知機構が適用される用紙処理装置としてのフィニッシャ及び給紙ユニットを示す斜視図
【符号の説明】
【００９０】
１  本体
７  側面ドア（開閉体）
８  正面ドア（開閉体）
９  開閉検知機構
１１  検知スイッチ
１２・４１・６１・８１  スイッチング部材
１３・１４・４２・４３・６２・８２  係合突起
１８  プランジャ（検知部）
２１・５７・６９・９４  空所
２２・５６・６８・９３  中心軸（支持手段）
２４・２６・４６・４９・６６・８６  押圧部
２５・２７・４５・４８・６５・８５  支軸
５１・８８  頂部
５２・５３・８９・９０  角部
５４・９１  底辺部
６３・８３  規制部材
７１  小径部（第１の当接部）
７２  大径部（第２の当接部）
７５・１０６  誘導部
７６・１０７  傾斜面
１０１  切り欠き
１０２  切り欠き面（第１の当接部）
１０３  外周面部分（第２の当接部）
７４・１０５  ばね
１３２  正面ドア（開閉体）
１３３  上面ドア（開閉体）
１３６  側面ドア（開閉体）
１４１・１４２  開閉検知機構
【図１】
2006113346.tif 000003
【図２】
2006113346.tif 000004
【図３】
2006113346.tif 000005
【図４】
2006113346.tif 000006
【図５】
2006113346.tif 000007
【図６】
2006113346.tif 000008
【図７】
2006113346.tif 000009
【図８】
2006113346.tif 000010
【図９】
2006113346.tif 000011
【図１０】
2006113346.tif 000012
【図１１】
2006113346.tif 000013
【図１２】
2006113346.tif 000014
【図１３】
2006113346.tif 000015
【図１４】
2006113346.tif 000016
【図１５】
2006113346.tif 000017
【図１６】
2006113346.tif 000018
【図１７】
2006113346.tif 000019
【図１８】
2006113346.tif 000020
【図１９】
2006113346.tif 000021
【図２０】
2006113346.tif 000022
【図２１】
2006113346.tif 000023